(57)【要約】  家具（４）に固定するための固定アーム（１）と、回転することが出来るように結合された四角形を形成する、二つのロック部（５、６）によって連結された、ドア（１１）に固定するための部材（７）と、ドアが閉じられた位置にあるとき、ドアが開く方向へモーメントを生み出すスプリング（８）を圧縮する梃子となるアームを作り出すように、家具（４）に又はドア（１１）に固定するための部材に固設してあるスプリングのアーム、及びロック部（５、６）の一つに固設してあるスプリングの他のアームを有する、ロック部（６）の端部に設置されたＶ型のスプリング（２８、３８、４８）と、を有する家具用のヒンジ。
2007515579.tif 000002
【特許請求の範囲】
【請求項１】
家具（４）に固定するための固定アーム（１）と、ドア（１１）に固定するための部材（７）と、四つのバーの連結を形成し、ドアが相互に回転出来るようドアに固定するために、前記固定アーム（１）を前記部材（７）に結合させる、第一（６）及び第二（５）のロック部と、第一（２５、３１、４１）及び第二（２７、２７’、２７’’、３７、４７）のアームが設けられ、第一のロック部（６）の端部の回転ピン（１２、１４）によって蝶番として動くようにされている、弾性要素（２８、３８、４８）と、から成る家具用のヒンジであって、
ヒンジがドア（１１）の閉じる位置を画定する位置に設置されているとき、弾性要素（２８、３８、４８）は圧縮され、そしてドア（１１）の開く方向に押す力を生じさせるモーメントを生み出すように、弾性要素（２８、３８、４８）の前記第一及び第二のアームのうちの一つが家具又はドアに固定するための部材に対して弾性抵抗を及ぼし、他のアームはロック部（５、６）の一つに対して抵抗を及ぼすことを特徴とする前記ヒンジ。
【請求項２】
弾性要素（２８、３８、４８）は固定アーム（１）を第一のロック部（６）に結合させるピン（１２）によって蝶番として動くようにされており、及び弾性要素（２８、３８、４８）の第一のアーム（２５、３１、４１）は固定アーム（１）に弾性抵抗を及ぼし、弾性要素（２８、３８、４８）の第二のアーム（２７、２７’、２７’’、３７、４７）は第一のロック部（６）に弾性抵抗を及ぼす、請求項１に記載のヒンジ。
【請求項３】
弾性要素（２８、３８、４８）はドア（１１）に固定するための部材（７）を第一のロック部（６）に結合するピン（１４）によって蝶番として動くようにされており、及び弾性要素（２８、３８、４８）の第一のアーム（２５、３１、４１）は第二のロック部（５）に弾性抵抗を及ぼし、弾性要素（２８、３８、４８）の第二のアーム（２７、２７’、２７’’、３７、４７）はドア（１１）を固定するための部材（７）に弾性抵抗を及ぼす、請求項１に記載のヒンジ。
【請求項４】
弾性要素（２８、３８、４８）は、ドア（１１）が開くときの第一の部分を画定する前記相互回転の短い弧のみに弾性抵抗を及ぼす、請求項２に記載のヒンジ。
【発明の詳細な説明】
【技術分野】
【０００１】
本発明は、ドア用の、又は一般的に家具の可動部用の、スプリングを有するヒンジに関する。特には、ドアが開放されている間に押す力を及ぼすスプリングが設けられているヒンジに関する。
【背景技術】
【０００２】
収納空間を有する家具にはしばしばドアが取り付けられ、そのドアはヒンジ機構を使用する平行又は垂直の軸の周りを回転することによって開いたり閉じたりする。非常に一般的なシステムとして、家具のドアが閉じられているとき、閉じられた位置にあるドアを支持するためのヒンジは隠されている。
【０００３】
家具産業における市場での成功に寄与してきた数多くの利点があるため、そのタイプのヒンジは広く使用されている。
【０００４】
先行技術で知られている幾つかのヒンジは、それらのヒンジが取り付けられたドアが閉じられるときに元に戻ろうとする力（ｒｅｔｕｒｎ  ｆｏｒｃｅ）を生み出す異なったタイプのスプリングが設けられている。この方策によって、非常に精細なやり方で、家具上にあるドアを閉じることが可能である。残念なことに、そのような場合において、家具のドアを開くために、ある種のハンドルを利用することを伴う、付加的な外力をドアに及ぼす必要があることがほとんどである。
【０００５】
特許文献１には、ドアが閉じる方向のみに押す力を及ぼすスプリングを有するヒンジが記載されている。特許文献２、特許文献３及び特許文献４には、ドアが閉じられた位置にあるときには閉じる力を、そしてドアが開かれた位置にあるときには開く力を及ぼすという、二重の効果を持つ、スプリングを有するヒンジの実施様態が記載されている。それらの方策の違いは、特許文献１において弾性要素が、一方向のみ、即ち閉じる方向では時計回りに、開く方向では反時計回りに常に軸を中心に回転する内部ロック部に作用するという事実にある。更に、当該のヒンジは、取り付けることが困難な弾性要素と、特殊で複雑な形をしており繊細な構造をしたロック部とが設けられている。代わりに、特許文献３及び特許文献４では、弾性要素は、ドアの開放運動の最後の部分における軸周りの回転方向を切り替える、外部ロック部に作用する。更に、それらのヒンジの実施様態において使用される弾性要素は特別に大きなものであり、また同様のヒンジの回転のために必要とされるものに関して付加的又は修正されたものとして、ピン又は旋回点を使用することを要求する。この事実は、双方の場合において生産コストがより高くなることを意味している。
【０００６】
先行技術において知られているスプリング装置のどれも、閉じられた位置にあるドアを伴っているヒンジに開く方向へと押す力を及ぼすことが出来ない。
【０００７】
しかし、外側から見えるハンドル又は他の把持装置のないドアを使用することは幾つかのタイプの家具においては好ましいことであり、そのことは、開く運動の初期段階においてドアに開くモーメントを及ぼすスプリングを有するヒンジの使用を要請する。この場合において、スプリングはヒンジから分離されるか、又はヒンジは比較的に複雑な形状をしなければならない。
【特許文献１】独国実用新案第８９０９５３２号明細書
【特許文献２】独国特許第２５０５５２７号明細書
【特許文献３】独国特許第２６１１９４２号明細書
【特許文献４】独国実用新案第２９９１７１０７号明細書
【発明の開示】
【発明が解決しようとする課題】
【０００８】
本発明の主な目的は、制限された製造コストで、開く方向に押す力を有するヒンジを提供することであり、そのヒンジは一般的に市場で利用可能な他のヒンジと可能な限り同じ数の部品を有しており、かつ多用途であり、またいかなる重大なコストの増加もなく、一般的に共通しているヒンジを構成する構成要素を修正することなしに、要求される機能に従って変形して、適用することが可能である。
【０００９】
従って、本発明は、請求項１で述べられる特徴を持つスプリングを有するヒンジを提供することで、上述された欠点を克服する。
【課題を解決するための手段】
【００１０】
それらの目的は、二つのアームを有する弾性要素をロック部の回転ピンの一つの周りに（ヒンジ組立て工程の間に）取り付けることで達成され、そのアームの一つは固定された又は可動式のヒンジに固設されており、一方で他のアームは、ドアが閉じられた位置にあるとき、二つのロック部のうちの一つを、ドアが開く動きを生じる方向に短い間隔で回転させるものである。好ましくは、弾性要素の二つ目のアームがロック部の一つの背面に直接取り付けられている。それらの部材のおかげで、本発明によるヒンジは用途が広く、様々な他の応用において使用するのにも適している。
【００１１】
本発明によるヒンジにおける弾性要素の重要な利点の一つは、弾性要素が、接続部が連結されたヒンジの内部に完全に包含されており、従って、固定された部材の形状からも、可動式の部材の形状からも、影響が与えられることがないということである。従って、本発明による配置は、例えば異なるように曲げられた又は傾斜のある固定された部材、又は異なる形状の可動式の部材を有するヒンジといった、異なる形状のヒンジで使用するのに適している。ヒンジのどの構成要素もほぼ変えることなく、単に弾性要素のみを置換することで、開く間の押す力を有するヒンジへと、閉じる間の押す力を有する既存のヒンジを変えることも可能である。
【００１２】
本発明のヒンジの他の利点は、スプリング装置のない単純なヒンジが、ヒンジのどの構成要素も修正することなく、単に弾性要素を挿入することによって、開く間の押す力を生み出すために適用される装置へと取り付けることが可能ということである。前記の単純なヒンジは、閉じられている位置にのみドアを維持する磁石装置と連結した家具に合うように、一般的に製造される。本発明による新しい弾性装置を使用することで、標準的なヒンジを、非常に低コストで、開く間の押す力を有するヒンジへと変えることが可能であり、そうすることでそのヒンジは、ハンドルのないドアを有する家具にあるラッチに使用され得る。
【００１３】
従属請求項は、本発明の好ましい実施様態を記載している。
【発明を実施するための最良の形態】
【００１４】
本発明の更なる特徴及び利点は、附属の図面の助けを借りて、ヒンジの好ましいが限定はしていない実施様態の詳細な記述によって明らかにされるが、それはただ単に説明しているだけであり、限定的なものではない。
【００１５】
図を参照すると、ヒンジが見て取れるが、それは文字Ｃによって全体を指示されている。前記ヒンジは、家具の側面又は他の適切な部分といった支持壁４に完全に固定されている、基礎部又はプレート３に取り付けることが可能な、固定された部材又はヒンジアーム１から成る。アーム１を直交する三つの方向に調整することが出来るように、ヒンジＣには固定及び調整部材が設けられている。そこには家具に関してその前面及び側面方向にヒンジの位置を調整するために使用されるプレート２が設けられている。一方、他の垂直方向におけるヒンジの位置を調整するための手段は、先行技術で知られている前記の手段のようには、図で詳細に説明されてはいない。そこにはアーム１の側壁にある穴に保持される二つの各々のピン１２、１３を回転する各々の第一の端部を有する、二つのロック部５及び６が設けられている。アーム１はボックス部材７に連結されており、そのボックス部材はドア１１の、又は家具の他の適切な回転部分の内側の壁に作られたキャビティに固定されている。ロック部５及び６の二つの各々の第二の端部は、第一の二つのピン１２、１３と平行している軸を有する他の二つの各々のピン１４、１５の周りを回転するように保持されている。四つのピン１２、１３、１４、１５は四つのバーの連結を形成する。スプリング２８は、ロック部６をボックス部材７に結合させる回転ピン１４の周りに配置されている。スプリングのアーム２５の一つはロック部５の背面に固設され、第二のアーム２７はボックス要素７に固設されている。
【００１６】
図２で図示されている位置に到達するまでドアが開く方向にロック部５が回転するために、ロック部５にモーメントを生み出すように、ロック部５に旋回点を画定するカーブ２６を、アーム２５は有している。その位置から、弾性要素２８のアーム２５はロック部５の丸い小穴又はカールしている部分に据えられ、前記の丸い小穴は回転ピン１５と噛み合わされており、図３で図示されるようにドアが完全に開かれるまで作用を及ぼさない。
【００１７】
このやり方で、簡単なヒンジ又は閉じる装置を有するそれぞれのヒンジを、単に弾性要素を付加する又はそれぞれに置換することで、ドアが開く間の押す力を有するヒンジへと変更することが可能である。
【００１８】
図４から６に図示されている、第二の実施様態では、弾性要素３８は回転ピン１２の周りに保持されており、弾性要素のアーム３１は固定された部材１に固設されているが、一方他のアーム３７は外側のロック部６をその背面の内側から押している。図５で図示されている位置までロック部６に押す力を及ぼすように、弾性要素３８のアーム３１及び３７は開く。そのドアが開く角度、約１５から２０°を越えると、弾性要素３８又はスプリングには負荷がなくなる、又はそれにかかる圧力がごくわずかになるので、弾性力による影響が与えられなくても、先行技術で知られているヒンジとは違い、ドアの残りの部分が自由に回転する。
【００１９】
図８は、図９又は図１０の上面図で例示されるタイプのうちの一つで製造されてよい、弾性要素３８の側面図を示す。図１１は弾性要素２６の側面図を示しており、その弾性要素は図１２で例示されているようにつながれた二つの相称的な部材２８’、２８’’から成ってよい。最後に、図１３は好ましい形状をした平らなスプリングから成る弾性要素を示す。
【００２０】
上述されたようなヒンジの構成要素の配列を用いると、ヒンジは非常に用途が広くなる。低い製造コストは、規模の経済を達成するためにヒンジのコストを減少させる。
【図面の簡単な説明】
【００２１】
【図１】家具の部材が三つの異なる開く位置にある本発明に従うヒンジの断面図。
【図２】家具の部材が三つの異なる開く位置にある本発明に従うヒンジの断面図。
【図３】家具の部材が三つの異なる開く位置にある本発明に従うヒンジの断面図。
【図４】家具の部材が三つの異なる開く位置にある本発明に従うヒンジの実施様態の断面図。
【図５】家具の部材が三つの異なる開く位置にある本発明に従うヒンジの実施様態の断面図。
【図６】家具の部材が三つの異なる開く位置にある本発明に従うヒンジの実施様態の断面図。
【図７】本発明によるヒンジの他の実施様態の断面図。
【図８】本発明によるヒンジに組み込まれた弾性要素の側面図。
【図９】図８の要素の平面図。
【図１０】本発明によるヒンジに組み込まれた弾性要素の平面図。
【図１１】本発明によるヒンジに組み込まれた弾性要素の他の実施様態の側面図。
【図１２】図１１の要素の平面図。
【図１３】本発明によるヒンジに組み込まれた弾性要素の他の実施様態の側面図。
【符号の説明】
【００２２】
Ｃ  ヒンジ
１  ヒンジアーム
３  プレート
４  支持壁
５、６  ロック部
７  ボックス部材
１１  ドア
１２、１３、１４、１５  ピン
２５  弾性要素のアーム
２６  カーブ
２７、２７’、２７’’  弾性要素のアーム
２８  弾性要素（スプリング）
２８’、２８’’  相称的な部材
３１  弾性要素のアーム
３７  弾性要素のアーム
３８  弾性要素
４１  弾性要素のアーム
４７  弾性要素のアーム
４８  弾性要素
【図１】
2007515579.tif 000003
【図２】
2007515579.tif 000004
【図３】
2007515579.tif 000005
【図４】
2007515579.tif 000006
【図５】
2007515579.tif 000007
【図６】
2007515579.tif 000008
【図７】
2007515579.tif 000009
【図８】
2007515579.tif 000010
【図９】
2007515579.tif 000011
【図１０】
2007515579.tif 000012
【図１１】
2007515579.tif 000013
【図１２】
2007515579.tif 000014
【図１３】
2007515579.tif 000015
【手続補正書】
【提出日】平成17年10月20日(2005.10.20)
【手続補正１】
【補正対象書類名】特許請求の範囲
【補正対象項目名】全文
【補正方法】変更
【補正の内容】
【特許請求の範囲】
【請求項１】
家具（４）に固定するための固定アーム（１）と、ドア（１１）に固定するための部材（７）と、四つのバーの連結を形成し、ドアが相互に回転出来るようドアに固定するために、前記固定アーム（１）を前記部材（７）に結合させる、第一（６）及び第二（５）のロック部と、第一（２５、３１、４１）及び第二（２７、２７’、２７’’、３７、４７）のアームが設けられており、第一のロック部（６）の端部の回転ピン（１２、１４）によって蝶番として動くようにされており、前記第一及び第二のアームは、前記回転ピンの周囲と適合する中央部（２８、３８、４８）によって結合されている、弾性要素（２８、３８、４８）と、から成る家具用のヒンジであって、
前記第二のアームは、ロック部（５、６）の一つに抵抗を及ぼし、
ヒンジが閉じる位置にあるドア（１１）を画定する位置に設置されているとき、前記弾性要素（２８、３８、４８）は圧縮され、そして二つのロック部のうちの一つをドアの開く動きが生じる方向に短い間隔で回転させる、ドア（１１）の開く方向に押す力を生じさせるモーメントが、生み出されることを特徴とする前記ヒンジ。
【請求項２】
弾性要素（２８、３８、４８）は固定アーム（１）を第一のロック部（６）に結合させるピン（１２）によって蝶番として動くようにされており、及び弾性要素（２８、３８、４８）の第一のアーム（２５、３１、４１）は固定アーム（１）に弾性抵抗を及ぼし、弾性要素（２８、３８、４８）の第二のアーム（２７、２７’、２７’’、３７、４７）は第一のロック部（６）に弾性抵抗を及ぼす、請求項１に記載のヒンジ。
【請求項３】
弾性要素（２８、３８、４８）はドア（１１）に固定するための部材（７）を第一のロック部（６）に結合するピン（１４）によって蝶番として動くようにされており、及び弾性要素（２８、３８、４８）の第一のアーム（２５、３１、４１）は第二のロック部（５）に弾性抵抗を及ぼし、弾性要素（２８、３８、４８）の第二のアーム（２７、２７’、２７’’、３７、４７）はドア（１１）を固定するための部材（７）に弾性抵抗を及ぼす、請求項１に記載のヒンジ。
【請求項４】
弾性要素（２８、３８、４８）は、ドア（１１）が開くときの第一の部分を画定する前記相互回転の短い弧のみに弾性抵抗を及ぼす、請求項２に記載のヒンジ。
【国際調査報告】
2007515579.tif 000016
2007515579.tif 000017
2007515579.tif 000018